(57)【要約】      （修正有）【課題】もろくて割れやすく、且つ湿気によって変形するという材質上の欠点を改善し、様々な形に構成するができる木片製の箱構造を提供する。【解決手段】薄い木材を基材とし、基材の両面を防湿、もしくは靭性を有するコーティング材１２で被覆し、側壁１０と底面２０とを形成するとともに、側壁の下端縁部は内方向に折り返して折り返し端縁部１３とし、底面２０は折り返し端縁部１３を跨ぐように設けて構成する。【選択図】図３
0003110481.tif 000002
【実用新案登録請求の範囲】
【請求項１】
下端縁部を内面側に折り返して折り返し端縁部を形成した側壁と、
該折り返し端縁部を跨ぐように設けて固定する底面とを具え、
薄い木材を基材とすることを特徴とする箱構造。
【請求項２】
前記側壁の両面を無毒の防湿材で被覆することを特徴とする請求項１に記載の箱構造。
【請求項３】
前記側壁の両面を、無毒で且つ靭性を有するコーティング材で被覆することを特徴とする請求項１に記載の箱構造。
【請求項４】
前記コーティング材が食品用の紙材であることを特徴とする請求項３に記載の箱構造。
【請求項５】
前記コーティング材がＰＥフィルムであることを特徴とする請求項３に記載の箱構造。
【請求項６】
前記ＰＥフィルムがホットローリング方式で該側壁の両面に溶着してあることを特徴とする請求項５に記載の箱構造。
【請求項７】
前記箱構造の底面に対向する面を開口面とし、かつ該開口の面積を底面より広くして、同様の箱構造を該開口から収納して重ね合わすことができるように構成したことを特徴とする請求項１に記載の箱構造。
【請求項８】
前記底面が該折り返し端縁部に嵌着して固定された構成であることを特徴とする請求項１に記載の箱構造。
【請求項９】
前記底面が接着剤で該折り返し端縁部に固定された構成であることを特徴とする請求項１に記載の箱構造。
【請求項１０】
内面側に突起した端縁部を下端に具える側壁と、
該突起状の端縁部を跨ぐように設けて固定する底面とを具え、
防水処理を施した薄い木材を基材とすることを特徴とする箱構造。
【請求項１１】
前記箱構造の底面に対向する面を開口面とし、かつ該開口の面積を底面より広くして、同様の箱構造を該開口から収納して重ね合わすことができるように構成することを特徴とする請求項１０に記載の箱構造。
【請求項１２】
前記底面が、該突起した端縁部に嵌着して固定された構成であることを特徴とする請求項１０に記載の箱構造。
【請求項１３】
前記底面が、該突起した端縁部に接着剤で固定された構成であることを特徴とする請求項１０に記載の箱構造。
【請求項１４】
前記箱構造の上下面が、円形を呈することを特徴とする請求項１に記載の箱構造。
【請求項１５】
前記箱構造の上下面が、Ｒ角を有する矩形を呈することを特徴とする請求項１に記載の箱構造。
【請求項１６】
前記箱構造の上下面が、ハート形を呈することを特徴とする請求項１に記載の箱構造。
【請求項１７】
前記箱構造の上下面が、Ｒ角を有する三角形を呈することを特徴とする請求項１に記載の箱構造。
【請求項１８】
前記箱構造の上下面が、円形を呈することを特徴とする請求項１０に記載の箱構造。
【請求項１９】
前記箱構造の上下面が、Ｒ角を有する矩形を呈することを特徴とする請求項１０に記載の箱構造。
【考案の詳細な説明】
【技術分野】
【０００１】
本考案は、箱構造に関し、特に薄い木材で構成するランチボックス、もしくは小物入れなどの構造に関する。
【背景技術】
【０００２】
ランチボックス、もしくは食物を盛る使い捨てのトレイなどは毎日廃棄され、その量は膨大なものになる。これら廃棄物は、その処理が問題となり、同時に人類と動物の生態環境を破壊するという問題にまで発展している。しかしながら、有効な解決策は講じられていない。
【０００３】
発泡ポリスチレンによるランチボックス、チリレンゲ、椀などは、台湾においても法令で使用が禁止されている。このため紙製のものを代替品としている。但し、紙製のランチボックスなどは、使用に耐えられるだけの強度を達成するためには、所定の厚さの紙材を必要とする。また、防水処理を加えなければならない。紙材は、廃棄しても環境保全の問題が発生しないが、その製造には大量のパルプを必要とし、森林から大量の伐採をしなければならない。即ち、パルプの製造によって貴重な資源が大量に消費することになる。さらにパルプの製造は汚水が発生し、環境に影響を与える。これら得失は判断しがたいものであるが、自然の資源の消耗と破壊については、専門的な検討を必要とする。
【０００４】
過去において、食すことのできる食器が開発されている。例えば台湾特許公告第５４８０８１号は、環境保全の理念に適ったランチボックスの製造方法を提供するものであって、小麦粉などの生地でランチボックスを製造する方法が開示されている。但し、該特許においては係るランチボックスを販売する過程において（販売するまでに何週間か必要とするのか、一年かかるのか確定できない）、ランチボックスにかびが生えることなく、また腐敗することがないようにするための対策が提示されていない。さらに、かかるランチボックス、もしくは食器に調理済みの惣菜などを盛った場合、惣菜の汁、蒸気などによってランチボックスが軟化し、はなはだしくは溶解することを如何に防ぐか、についても提示されていない。したがって、かかるランチボックスが従来の発泡ポリスチレンに取って代わることができるか、今後時間をかけて観察する必要がある。
【０００５】
また、薄い木材で構成するランチボックスは、環境保全の観念に適った製品である。即ち、天然の木材を材料とするため、使用者に対して自然に親しむような感覚と、衛生的で信頼できる感覚を与える。しかも廃棄する場合、焼却して灰にすることができ、埋めた場合でも自然分解され、地面の天然肥料となる。よって、係るランチボックスは、単価が高くなるものの環境保全の問題については疑義のない数少ない高級なランチボックスである。
また、木製の薄い材料は木材から得るが、現在、東南アジアの国々では専門の林業の会社が、成長が早く、毒性のない品種を大量に栽培し、ランチボックスや小物入れの製造に必要な木材を十分に供給している。よって、薄い木材を利用することで木材不足を心配する必要はなくなっているが、加工技術をさらに進歩させて研究・開発することが必要になっている。
【０００６】
但し、薄い木材の製品は製品の歩留まりを維持することが難しい。特に薄い木片は繊維が平行しているため、所定の硬度を有するが、もろくて折れやすい。このため加工中に予期せず外部からの力を受けて折れ曲がり、割れることがある。破損した材料は廃棄せざるを得なくなる。更に、完成した製品は保存、運送、陳列の過程において湿気を受けると容易に黴が生える。のみならず吸湿によって膨張、彎曲、変形する場合もあり、係る問題をいかにして改善するかが課題となっている。よって、薄い木材を材料とするランチボックスは、材料の特性と加工のコストにおいて制限を受ける。この他、薄い木材を材料とするランチボックスなどの箱構造は、平面を基本とした直線的で簡易なデザインしかなされてなく、外観上僅かであっても変化を持たせることが難しい。
【考案の開示】
【考案が解決しようとする課題】
【０００７】
本考案はもろくて割れやすく、且つ湿気によって変形するという材質上の欠点を改善することのできる薄い木材製の箱構造を提供することを課題とする。
【０００８】
また、本考案は製品の歩留まりを高め、大量に生産できる薄い木材製の箱構造を提供することを課題とする。
【０００９】
また、本考案は外観上の変化を形成し、様々な形に構成することのできる薄い木材製の箱構造を提供することを課題とする。
【００１０】
そこで本考案者は、従来の技術に鑑み鋭意研究を重ねた結果、薄い木材を基材とし、該基材の両面を防湿、もしくは靭性を有するコーティング材で被覆し、側壁と底面とを形成するとともに、該側壁の下端縁部は内方向に折り返して折り返し端縁部とし、該底面は該折り返し端縁部を跨ぐように設けてなる箱構造の構造によって課題を解決できる点に着眼し、係る知見に基づき本考案を完成させた。
以下、本考案について具体的に説明する。
【課題を解決するための手段】
【００１１】
請求項１に記載する箱構造は、下端縁部を内面側に折り返して折り返し端縁部を形成した側壁と、折り返し端縁部を跨ぐように設けて固定する底面とを具え、薄い木材を基材とすることを特徴とする。
【００１２】
請求項２に記載する箱構造は、請求項１における側壁の両面を無毒の防湿材で被覆することを特徴とする。
【００１３】
請求項３に記載する箱構造は、請求項１における側壁の両面を、無毒で且つ靭性を有するコーティング材で被覆することを特徴とする。
【００１４】
請求項４に記載する箱構造は、請求項３におけるコーティング材が食品用の紙材であることを特徴とする。
【００１５】
請求項５に記載する箱構造は、請求項３におけるコーティング材がＰＥフィルムであることを特徴とする。
【００１６】
請求項６に記載する箱構造は、請求項５におけるＰＥフィルムがホットローリング方式で該側壁の両面に溶着してあることを特徴とする。
【００１７】
請求項７に記載する箱構造は、請求項１における箱構造の底面に対向する面を開口面とし、かつ該開口の面積を底面より広くして、同様の箱構造を該開口から収納して重ね合わすことができるように構成してあることを特徴とする。
【００１８】
請求項８に記載する箱構造は、請求項１における底面が該折り返し端縁部に嵌着して固定してあることを特徴とする。
【００１９】
請求項９に記載する箱構造は、請求項１における底面が接着剤で該折り返し端縁部に固定してあることを特徴とする。
【００２０】
請求項１０に記載する箱構造は、内面側に突起した端縁部を下端に具える側壁と、該突起状の端縁部を跨ぐように設けて固定する底面とを具え、防水処理を施した薄い木材を基材とすることを特徴とする。
【００２１】
請求項１１に記載する箱構造は、請求項１０における箱構造の底面に対向する面を開口面とし、かつ該開口の面積を底面より広くして、同様の箱構造を該開口から収納して重ね合わすことができるように構成してあることを特徴とする。
【００２２】
請求項１２に記載する箱構造は、請求項１０における底面が、該突起した端縁部に嵌着して固定してあることを特徴とする。
【００２３】
請求項１３に記載する箱構造は、請求項１０における底面が、該突起した端縁部に接着剤で固定してあることを特徴とする。
【００２４】
請求項１４に記載する箱構造は、請求項１における箱構造の上下面が、円形を呈することを特徴とする。
【００２５】
請求項１５に記載する箱構造は、請求項１における箱構造の上下面が、Ｒ角を有する矩形を呈することを特徴とする。
【００２６】
請求項１６に記載する箱構造は、請求項１における箱構造の上下面が、ハート形を呈することを特徴とする。
【００２７】
請求項１７に記載する箱構造は、請求項１における箱構造の上下面が、Ｒ角を有する三角形を呈することを特徴とする。
【００２８】
請求項１８に記載する箱構造は、請求項１０における箱構造の上下面が、円形を呈することを特徴とする。
【００２９】
請求項１９に記載する箱構造は、請求項１０における箱構造の上下面が、Ｒ角を有する矩形を呈することを特徴とする。
【考案の効果】
【００３０】
本考案の箱構造は、もろくて割れやすく、且つ湿気によって変形するという材質上の欠点を改善し、様々な形に構成するができるという利点を有する。
また、本考案の箱構造は、製品の歩留まりを高め、大量に生産できるという利点を有する。
また、本考案の箱構造は、梱包、運送などに必要とする空間を節減するという利点を有する。
【考案を実施するための最良の形態】
【００３１】
本考案は、ランチボックス、もしくは小物入れなどに応用する箱構造を提供するものであって、薄い木材を基材とし、該基材の両面を防湿、もしくは靭性を有するコーティング材で被覆し、側壁と底面とを形成するとともに、該側壁の下端縁部は内方向に折り返して折り返し端縁部とし、該底面は該折り返し端縁部を跨ぐように設けて構成する。
【００３２】
係る構成の箱構造について、その構造と特徴を詳述するために具体的な実施例を挙げ、図面を参照にして以下に説明する。
【実施例１】
【００３３】
図３及び図４は、本考案の実施例１の箱構造を示す。箱構造は、薄い木材を基材としてなる側壁１０と、底面２０とによってなる。該側壁１０は、下端縁部を箱構造体の内側に折り返して折り返し端縁部１３を形成する。底面２０は、箱構造体内において折り返し端縁部１３を跨ぐように嵌め込み嵌着するか、もしくは接着剤で固定してある。これによって、ランチボックス或いは小物入れの箱構造が構成してある。
【００３４】
薄い木材は硬くてもろいため、容易に割れるか、もしく湿気を含んで変形するという欠点を有する。このため、図１及び図２に示すように、薄い木片１１の両面を、無毒で防湿作用を有するか、もしくは靭性を具えたコーティング材１２で被覆する。例えばホットローリング法でＰＥフィルムを溶着するか、もしくはライスペーパー、繊維系の食品用紙などを貼着する。大量に製造する場合には、金型を利用して側壁１０を展開した形状に裁断し、且つ下端縁部にプレスして折り返し線を形成するか、もしくは折り返し溝Ｃ１を形成する。次いで金型を利用して該折り返し線、もしくは折り返し溝Ｃ１に沿って、図２及び図４に示すような折り返し端縁部１３を形成する。
【００３５】
本考案による箱構造は、側壁１０を円形、円錐形、Ｒ角を有する矩形、ハートの形、もしくはＲ角を有する三角形などの輪郭を描くように形成することができる。また、折り返し端縁部１３を跨ぐように嵌着する底面２０も同様の輪郭を描くように構成する。
【００３６】
また、本考案による箱構造は、図５に示すように底面２０に対向する面を開口面とし、且つ、該開口面の面積を底面２０より広くしてもよい。この場合、他の箱構造を該開口面から収納して重ね合わせることができる。よって本考案による箱構造は、円形、円錐形、Ｒ角を有する矩形、ハートの形、もしくは三角形のいずれであっても、梱包、運送する場合複数重ね合わすことができ、空間を節約することができる。
【００３７】
また、本考案による箱構造は、簡易な構造でコストが低く、高い歩留まりで大量に生産することできる。更に、曲線を形成することができる。例えば図６、図７及び図８に示すように、方形ボックス３０、ハート形ボックス４０、三角形ボックス５０などと、デザインを多くの形状に変化させることができる。
【００３８】
以上は本考案の好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものである。
【図面の簡単な説明】
【００３９】
【図１】折り返し溝を形成した本考案の箱構造の基材を示す説明図である。
【図２】折り返し端縁部を形成した本考案の箱構造の基材を示す説明図である。
【図３】本考案による箱構造の断面図である。
【図４】図３に示す箱構造の組立て方を示した説明図である。
【図５】本考案による箱構造を複数重ねた状態を示す説明図である。
【図６】本考案の箱構造の他の実施形態であって、Ｒ角を有する矩形の箱構造の斜視図である。
【図７】本考案の箱構造のその他の実施形態であって、ハート形の箱構造の斜視図である。
【図８】本考案の箱構造の別の実施形態であって、Ｒ角を有する三角形の箱構造の斜視図である。
【符号の説明】
【００４０】
１０    側壁
１１    薄い木片
１２    コーティング材
１３    折り返し端縁部
２０    底面
３０    方形ボックス
４０    ハート形ボックス
５０    三角形ボックス
【図１】
0003110481.tif 000003
【図２】
0003110481.tif 000004
【図３】
0003110481.tif 000005
【図４】
0003110481.tif 000006
【図５】
0003110481.tif 000007
【図６】
0003110481.tif 000008
【図７】
0003110481.tif 000009
【図８】
0003110481.tif 000010